(57)【要約】【課題】  ユニット保管スペースの確保や輸送が容易で、壁面緑化施工を簡単かつ短時間に行なうことのできる植栽ユニットが望まれている。【解決手段】  植栽ユニット１は、建物やフェンスなどの壁面に添って配置されるつる性植物Ｓ生長用の立上り部３と、立上り部３の下部から前向きに曲成された土受容部４とから一体に構成された可塑性ネット体２を備え、この可塑性ネット体２の土受容部４に、つる性植物Ｓが根づいた土５が収容されている。可塑性ネット体２は、ポリエステル繊維で形成されたネット基材と、このネット基材の表面を被覆したアクリル樹脂とを備えて構成されている。【選択図】      図１
2006191850.tif 000002
【特許請求の範囲】
【請求項１】
建物やフェンスなどの壁面に添って配置されるつる性植物生長用の立上り部と、立上り部の下部から前向きに曲成された土受容部とから一体に構成された可塑性ネット体を備え、該可塑性ネット体の土受容部に、つる性植物が根づいた土が収容されている植栽ユニット。
【請求項２】
可塑性ネット体が、合成繊維で形成されたネット基材と、該ネット基材の表面を被覆した合成樹脂とを備えて構成されている請求項１に記載の植栽ユニット。
【請求項３】
合成繊維がポリエステル繊維であり、合成樹脂がアクリル樹脂である請求項２に記載の植栽ユニット。
【発明の詳細な説明】
【技術分野】
【０００１】
本発明は、例えば建物やフェンスなどの壁面をつる性植物で緑化するための植栽ユニットに関するものである。
【背景技術】
【０００２】
従来、この種の植栽ユニットは例えば下記の特許文献１に開示されている。かかる文献開示の植栽ユニットを図７に示す。図に示した植栽ユニット５１では、ポット５４内に収容された土５５に支柱５３,５３が立設され、これらの支柱５３,５３間にネット体５２が支持されている。ネット体５２は金型で成型されたプラスチック製格子から成っており、建物やフェンスなどの壁面に添って配置される。そして、つる性植物Ｓの幼木がポット５４内の土５５に植えられて栽培され、生長とともにつる性植物Ｓのつるがネット体５２に絡みついて更に伸長する。このように伸長した多数のつる性植物Ｓ，Ｓ，Ｓ，・・・で緑化壁面が形成されるようになっている。
【０００３】
【特許文献１】特開平９−２０５８９６号公報（図１）
【発明の開示】
【発明が解決しようとする課題】
【０００４】
ところで、つる性植物Ｓは、例えば蔦の場合３〜５ｍの高さに生長する。かかる高さまで生長したつる性植物Ｓは商品保管スペースの確保や輸送が困難である。そのため、壁面緑化施工にあたっては、ポット５４、支柱５３，５３、土５５、つる性植物Ｓの幼木を施工現場へ搬入し現地で前記の植栽ユニット５１に組み立てていた。すなわち、従来の植栽ユニット５１は、施工現場でつる性植物Ｓを幼木から栽培しなければならないために、緑化壁面となるまでに栽培の手間と長期間がかかるという問題があった。かかる問題は緑化壁面を別のものに替える際にも当然ながら生じる。
【０００５】
本発明は、上記した従来の問題点に鑑みてなされたものであって、ユニット保管スペースの確保や輸送が容易で、壁面緑化施工を簡単かつ短時間に行なうことのできる植栽ユニットの提供を目的とする。
【課題を解決するための手段】
【０００６】
上記目的を達成するために、本発明に係る植栽ユニットは、建物やフェンスなどの壁面に添って配置されるつる性植物生長用の立上り部と、立上り部の下部から前向きに曲成された土受容部とから一体に構成された可塑性ネット体を備え、該可塑性ネット体の土受容部に、つる性植物が根づいた土が収容された構成にしてある。
【０００７】
また、前記構成において、可塑性ネット体が、合成繊維で形成されたネット基材と、該ネット基材の表面を被覆した合成樹脂とを備えて構成されているものである。前記の合成繊維としては耐久性の高いものが要求されるが、かかるものとしては、例えばポリエステル繊維、ポリアミド繊維、アラミド繊維、ビニロン繊維などが挙げられる。前記の合成樹脂としては、ネット基材の表面を被覆したときにネット基材を外部から確実に遮断し且つ被膜強度の高いものが望ましい。かかるものとしては、例えばアクリル樹脂、ポリ塩化ビニル、ポリウレタン、ＳＢＲ（スチレン−ブタジエンゴム）、ＮＢＲ（ニトリル−ブタジエンゴム）などが挙げられる。
【０００８】
そして、前記構成において、合成繊維としてポリエステル繊維を用い、合成樹脂としてアクリル樹脂を用いたものである。
【発明の効果】
【０００９】
本発明に係る植栽ユニットは、立上り部および土受容部から一体構成にされた可塑性ネット体の、土受容部に、つる性植物付きの土を収容したものであるので、構成が簡素であり安価に提供される。また、立上り部をつる性植物とともに丸めるとユニット全体がコンパクトになるので、店舗での展示の際に広い場所をとらず、持ち運びしやすく、輸送、施工が楽である。加えて、土と可塑性ネット体とつる性植物を一体に取り扱うことができる。従って、現場での施工性がよい。また、立上り部で生長したつる性植物を立上り部とともに丸めても立上り部と土受容部が一体であるために、つる性植物の茎などが折れたりしない。そして、壁面への施工後は、直ちに、緑化壁面が完成するという効果がある。
【００１０】
また、可塑性ネット体が、合成繊維で形成されたネット基材と、該ネット基材の表面を被覆した合成樹脂とを備えて構成されている場合は、ネット基材の大部分を構成する合成繊維の存在により、全体として軽量で引張り強度の大きな可塑性ネット体が提供される。また、ネット基材を被覆する合成樹脂は合成繊維製のネット基材の形状を安定させるとともに、紫外線や風雨から隔離するので耐候性が向上し、延いては耐久性の高い植栽ユニットを提供することができる。従って、長年にわたり安定したつる性植物の壁面を保持することができる。
【００１１】
前記で使用する合成繊維のうち、ポリエステル繊維は比較的安価で耐候性が高い。また、前記で用いる合成樹脂のうち、アクリル樹脂は塩素を含んでいないのでポリ塩化ビニルよりも環境にやさしく、ＳＲＢ、ＮＢＲよりも耐候性および耐水性が高く、ポリウレタンよりも安価で済む。
【発明を実施するための最良の形態】
【００１２】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係る植栽ユニットを示す外観図、図２は前記植栽ユニットのネット体の一部分を示す部分正面図である。
各図において、この実施形態に係る植栽ユニット１は、手の力により変形可能で、力を抜くと変形後の形のまま保たれる、いわゆる可塑性を有するネット体２を備えている。この可塑性ネット体２は、立てた状態で使用される立上り部３と、立上り部３の下部から前向きに更には上向きに曲成された土受容部４とから一体に構成されている。可塑性ネット体２の土受容部４には土５が収容され、この土５につる性植物Ｓの根Ｔが根づいている。
【００１３】
前記の可塑性ネット体２は、ポリエステル繊維で格子状に織編した織編組織であるネット基材２０の表面を、アクリル樹脂１３で被覆したものである。この場合、可塑性ネット体２の一端２Ａは立上り部３の上端となり、他端２Ｂは土受容部４の先端となっている。可塑性ネット体２の格子寸法は例えば縦横２５ｍｍ×２５ｍｍである。可塑性ネット体２の目付量は３５０ｇ／ｍ2と、金網と比べて軽い。尚、本発明における可塑性ネット体の目付量は特に限定されないが、強度および軽量化を考慮すると例えば１２０〜４００ｇ／ｍ2程度であることが望ましい。また、可塑性ネット体２は引き抜き抵抗が大きいために、端部をいったん土中に埋めると土から抜き取りにくい。一方、可塑性ネット体２に用いたポリエステル繊維は低伸度であり、引張り強度（製品基準強度）が５８ｋＮ／ｍと高い。尚、本発明に用いるポリエステル繊維の引張り強度（製品基準強度）は特に限定されないが、上記した可塑性ネット体の目付量に対応すると１８〜６０ｋＮ／ｍ程度となる。
【００１４】
ネット基材２０は緯糸挿入式のラッセル編機を用いて編織成されている。このラッセル編機は、ポリエステルマルチフィラメント（１１１００デシテックス（＝１００００トータルデニール））製のひき揃え糸９，９，９，・・・の両側に、ひき揃え糸９の糸芯方向に沿ってループが進むように鎖糸１０，１１（８３０デシテックス）をそれぞれ編成し、同時にひき揃え糸９,９，９，・・・のバラケを防止するために鎖糸１０，１１間に前側から絞り糸１２Ａを架け渡し後側から絞り糸１２Ｂを架け渡すことにより経糸６を形成し、ひき揃え糸（ポリエステルマルチフィラメント製、１１１００デシテックス）から成る緯糸７と経糸６との交差部分８は鎖糸１０，１１のループに緯糸７を通すことにより固定するようにしている。この場合、ネット基材２０のひき揃え糸９、鎖糸１０、鎖糸１１、絞り糸１２Ａ，１２Ｂ、緯糸７を構成するポリエステル繊維として、約８００〜１２０００デシテックスのマルチフィラメントを使用すると、入手容易、安価な点で好ましい。
【００１５】
上記のように織編成されたネット基材２０はアクリル樹脂微粒子を界面活性剤の作用により水中に分散させて成るアクリル樹脂−水エマルジョン液中に常温常圧下で浸漬される。そして、アクリル樹脂−水エマルジョン液から引き上げられたネット基材２０は、回転するロール対に挟まれて水などが搾り出されることにより、アクリル樹脂−水エマルジョン液がネット基材２０の微細なフィラメント間の隅々に行き渡り、必要量だけがネット基材２０の表面およびフィラメント間に残る。前記のように搾られたネット基材２０は熱風乾燥設備において８０℃で熱風乾燥に付される。これにより、アクリル樹脂−水エマルジョン液中の水が蒸散し、アクリル樹脂１３がネット基材２０の表面を被覆した状態で固化する。
【００１６】
こうして出来上がった可塑性ネット体２は、あたかも金型により成型されたプラスチック製格子のような質感、手触りを有し、建物などの壁面１７に添わせて立て掛けた場合でも容易には変形せず崩れ落ちたりしない。他方で、可塑性ネット体２は比較的巻癖力が弱く、手で延ばしたり巻いたりするなどの取り扱いが容易であり、自由な形状に変形することができ、変形後はその形に留まる。従って、上記した土受容部４も手の力や折り曲げ機により自由な形に成形することができる。かかる土受容部４の形状は土５を受けられる形状であればよく、例えば側面から見て、上面が開口した、円弧状（図１、図３、図４）、角箱状、略Ｕ字状、略Ｌ字状、平皿状などに形成することができる。
【００１７】
上記した植栽ユニット１を工場で製作するにあたっては、まず可塑性ネット体２の立上り部３を垂直に持ち上げて工場の梁などに懸架しておく。そして、可塑性ネット体２の土受容部４に土５を収容し、土５につる性植物Ｓの根Ｔを植え込んで栽培する。しばらくすると、つる性植物Ｓのつるが立上り部３に絡みつき、つる性植物Ｓが上向きに生長する。つる性植物Ｓが十分生長したのちに、つる性植物Ｓを内側に配し立上り部３を外側に配した状態で、つる性植物Ｓもろともに立上り部３を一端２Ａから前方へ巻くと、図３に示したようなコンパクトな植栽ユニット１が商品として得られる。尚、土受容部４内の土５はつる性植物Ｓの根Ｔに絡んで保持されているため、土受容部４の目開きが比較的大きくても、ほとんどの土５は透過することなく土受容部４内に収受されている。但し、念のために、土受容部４の下面を、土５が通過しない土受シート１４で被っておくとよい。
【００１８】
上記した構成の植栽ユニット１は、可塑性ネット体２の立上り部３をつる性植物Ｓとともに丸ごと巻けてコンパクトになるので、出荷や商品陳列を極めて容易に行なうことができる。このように、立上り部３を巻いて出荷できることにより、コンパクトになって箱詰めが可能となるため、輸送手段を選ぶことなく宅配便などで配送することも可能である。また、丸めた植栽ユニット１は軽車両でも搬送することができ、簡便に施工現場に届けることができる。
一方で、前記のようにつる性植物Ｓを丸めたとしても、可塑性ネット体２の立上り部３と土受容部４とは一体構成なので、立上り部３と土受容部４との境界部分で茎Ｓｔが折れたり傷んだりしない。因みに、立上り部３と土受容部４が分離独立のものであると、例え立上り部３が可塑性を有していたとしても、立上り部３をつる性植物Ｓとともに巻くと、前記の分離位置で立上り部３と土受容部４とが離間したり大きく屈曲してその位置で茎Ｓｔや枝葉が折れたり致命的な傷が付くことがあり、つる性植物Ｓの商品価値が無くなるおそれがある。
【００１９】
そして、現場施工の際には、土受容部４の底面から土受シート１４が取り除かれ、建物の壁面１７の下部に設置されているポット１５の土１６上に、土受容部４が置かれる。このとき、土受容部４の他端２Ｂをポット１５の上縁から前方へ垂れ下げておくと、植栽ユニット１を取り出す際や、土５，１６の整備の際に便利である。次に、可塑性ネット体２の立上り部３およびつる性植物Ｓが直線状に展ばされて立ち上げられ、その背面３Ａが建物やフェンスなどの壁面１７に添うように立上り部３が配置される。立上り部３の一端２Ａはビスや紐などで壁面１７に固定される。このような簡単な作業を行なうだけで壁面緑化施工が完了し、直ちに、緑化壁面が得られる。従って、従来技術のようにつる性植物Ｓをネット体に一から植栽して生長を待つ手間が省け、工期の大幅な短縮化を図ることができる。
【００２０】
上記のように施工された植栽ユニット１において、ポリエステル繊維から成るネット基材２０は引張り強度が大きく、金属製の可塑性ネット体よりも軽量である。従って、台風時などの強風にも耐える。一方、被覆材たるアクリル樹脂１３はネット基材２０に耐候性を持たせるので、植栽ユニット１が風雨や日光に曝されても長期間の使用が可能となる。因みに、可塑性ネット体２には高い耐候性と耐久性が要求される。例えば、経時使用により可塑性ネット体２が風化して無くなり、つる性植物Ｓ,Ｓ,Ｓ,・・・だけが残ったとすると、強風に煽られてつる性植物Ｓ,Ｓ,Ｓ,・・・全体が壁面１７から離れて倒れることがある。他方で、植栽ユニット１は可塑性ネット体２とつる性植物Ｓが一体化し全体として柔軟性があるので、現場での施工性がよく、施工場所を選ばない。また、つる性植物Ｓ付きの新たな植栽ユニット１との交換は容易であるので、可塑性ネット体２の寿命に達する前に、新たな植栽ユニット１と交換することができる。
【００２１】
尚、上記の実施形態では、緯糸挿入式ラッセル編機で編織成されたネット基材２０を用いた例を示したが、本発明はそれに限定されるものでない。例えば、図５に示すようなネット基材２０ａを用いた可塑性ネット体２ａも本発明の可塑性ネット体に含まれる。この可塑性ネット体２ａは、経糸６ａ、および／または該経糸６ａと交差する緯糸７ａとして低融点ファイバーを含むひき揃え糸を用いて織成したものを加熱処理することにより、各経糸６ａと各緯糸７ａとの交差部分８ａを融着固定したネット基材２０ａを備えている。経糸６ａ，６ａ，６ａ，・・・は横方向に所定間隔（例えば、２５ｍｍ）で並べられており、緯糸７ａ，７ａ，７ａ，・・・は縦方向に所定間隔（例えば、２５ｍｍ）で並べられている。このネット基材２０ａも、既述のように、アクリル樹脂−水エマルジョン液への浸漬、取り出し、液搾り、および、熱風乾燥といった各工程を経て可塑性ネット体２ａにされる。
【００２２】
また、本発明は、図６に示すように、からみ織りで織成したネット基材２０ｂの表面をアクリル樹脂１３で被覆した可塑性ネット体２ｂを用いることも可能である。ネット基材２０ｂは、いずれも、ポリエステル製のマルチフィラメントから成る経糸６ｂと緯糸７ｂを用いて織成され、格子寸法は縦横１０ｍｍ×１０ｍｍである。このネット基材２０ｂも、既述のように、アクリル樹脂−水エマルジョン液への浸漬、取り出し、液搾り、および、熱風乾燥といった各工程を経て可塑性ネット体２ｂにされる。可塑性ネット体２ｂは既述の可塑性ネット体２と比べてネット構造が簡素であるため、製造コストを安価に抑えられるという効果がある。
【００２３】
そして、本発明において、ネット基材を被覆する樹脂としては上記のアクリル樹脂に限らず、例えば防炎機能が要求される場合は、ネット基材を塩化ビニル樹脂−水エマルジョン液中に浸漬して、ロール搾り、１５０℃熱風乾燥を施し、ネット基材の表面を塩化ビニル樹脂で被覆するようにしてもよい。
本発明の可塑性ネット体としては、手や折り曲げ機で塑性変形が可能であり、且つ、外部から力を受けないときはそのときの形状を保っているものであれば特に限定されない。すなわち、本発明の可塑性ネット体は既述したような合成繊維および合成樹脂を用いたものに限らず、例えば、合成繊維単体から成るネット体、合成樹脂成型ネット、あるいは、鋼線ネットやパンチングメタルなどから成る金属製のネット体であっても構わない。
本発明の植栽ユニットに適用される、つる性植物としては、周囲につるを絡めながら長く生長していくものであれば特に限定されないが、例えば、蔦、葛、アサガオ、スイートピー、自然薯、アメリカつるまさき、つるあじさいなどが挙げられる。
また、被覆用の合成樹脂の原料としては、上記した水エマルジョンタイプのもの以外に、例えば有機溶剤に合成樹脂を溶解させた塗料タイプのものを用いても構わない。そして、合成樹脂に着色顔料を添加して所望の色に着色することも可能である。その場合に濃色顔料を用いると、耐紫外線能がいっそう向上する。
【図面の簡単な説明】
【００２４】
【図１】本発明の一実施形態に係る植栽ユニットを示す外観図である。
【図２】前記植栽ユニットの可塑性ネット体の一部分を示す部分正面図である。
【図３】前記植栽ユニットの立掛け部およびつる性植物を巻いた状態を示す側面図である。
【図４】前記植栽ユニットの使用状態を示す一部断面を含む側面図である。
【図５】本発明の別の実施形態に係る植栽ユニットの可塑性ネット体の一部分を示す部分正面図である。
【図６】本発明の他の実施形態に係る植栽ユニットの可塑性ネット体の一部分を示す部分正面図である。
【図７】従来の植栽ユニットを示す外観図である。
【符号の説明】
【００２５】
１    植栽ユニット
２，２ａ，２ｂ  可塑性ネット体
３    立上り部
４    土受容部
５    土
６，６ａ，６ｂ  経糸
７，７ａ，７ｂ  緯糸
８，８ａ  交差部分
９    ひき揃え糸
１０  鎖糸
１１  鎖糸
１２  絞り糸
１３  アクリル樹脂
１７  壁面
２０，２０ａ，２０ｂ  ネット基材
Ｓ    つる性植物
Ｔ    根
【図１】
2006191850.tif 000003
【図２】
2006191850.tif 000004
【図３】
2006191850.tif 000005
【図４】
2006191850.tif 000006
【図５】
2006191850.tif 000007
【図６】
2006191850.tif 000008
【図７】
2006191850.tif 000009